(57)【要約】【課題】回転ドラムを備えたコーティング装置において、回転ドラムを効果的に洗浄すること。【解決手段】コーティング装置は、その傾斜した軸線回りに回転駆動される通気式の回転ドラムを備える。回転ドラムの洗浄は、洗浄液中で回転ドラムを回転させながら行なわれる。回転ドラムは、回転時に、洗浄液を回転方向前方に流動させるドラムリブ５ｂを底壁部に有する。ドラムリブ５ｂにおける回転方向前方側の側面５ｅは、外部側に移行するに従って、回転方向前方側に漸次変位する形状である。【選択図】図６
2014000494.tif 000002
【特許請求の範囲】
【請求項１】
処理すべき粉粒体が内部に収容され、その軸線回りに回転駆動される通気式の回転ドラムと、該回転ドラムの外部側に配設され、洗浄液を貯留する洗浄槽とを備え、前記回転ドラムは、前記回転ドラムの内部と外部とを連通させる通気部を壁部に有し、前記洗浄槽に貯留された洗浄液中に前記壁部を浸漬して前記通気部を介して内部に洗浄液を入れた状態で、前記回転ドラムを回転させながら洗浄を行うコーティング装置において、
前記回転ドラムは、回転時に前記洗浄槽の洗浄液を回転方向前方に流動させる流動部材を前記壁部に有し、該流動部材における回転方向前方側の側面が、外部側に移行するに従って、回転方向前方側に漸次変位することを特徴とするコーティング装置。
【請求項２】
前記流動部材における回転方向後方側の側面が、外部側に移行するに従って、回転方向後方側に漸次変位することを特徴とする請求項１に記載のコーティング装置。
【請求項３】
前記回転ドラムの軸線が水平線に対して傾斜しており、前記壁部が傾斜下方側の底壁部であることを特徴とする請求項１又は２に記載のコーティング装置。
【請求項４】
前記回転ドラムの内部を通気するための通気ダクトと、該通気ダクトが取り付けられ、前記回転ドラムの軸線方向に沿ってスライド駆動されて前記底壁部に対して当接及び離隔するディスクプレートとを備え、該ディスクプレートは、前記底壁部に対して当接した状態で前記通気部と前記通気ダクトを所定の位置で連通させる通気口を有し、前記通気ダクトは、該通気口から前記回転ドラムの回転方向前方側に延びていることを特徴とする請求項３に記載のコーティング装置。
【発明の詳細な説明】
【技術分野】
【０００１】
本発明は、医薬品、食品、農薬等の粉粒体のコーティング、混合、乾燥等を行うコーティング装置に関し、特に、軸線回りに回転駆動される回転ドラムを備えたコーティング装置に関する。
【背景技術】
【０００２】
医薬品、食品、農薬等の錠剤、ソフトカプセル、ペレット、顆粒、その他これらに類するもの（以下、これらを総称して粉粒体という。）にフィルムコーティングや糖衣コーティング等を施すために、回転ドラムを備えたコーティング装置が使用されている。
【０００３】
例えば、特許文献１に開示されたコーティング装置では、回転ドラムは、通気式で、その軸線回りに回転駆動され、回転ドラムの内部には、処理すべき粉粒体が収容される。そして、回転ドラムは、回転ドラムの内部と外部とを連通させる通気部を壁部に有する。
【先行技術文献】
【特許文献】
【０００４】
【特許文献１】特開２００４−１４８２９２号公報
【発明の概要】
【発明が解決しようとする課題】
【０００５】
ところで、この種のコーティング装置の多くは、回転ドラムの外部側に配設され、洗浄液を貯留する洗浄槽を備え、洗浄槽に貯留された洗浄液中に回転ドラムの壁部を浸漬して通気部を介して内部に洗浄液を入れた状態で、回転ドラムを回転させながら洗浄を行う（いわゆる溜め洗い）。しかしながら、このように、単に回転ドラムを洗浄液中で回転させるだけでは、回転ドラムの内部や通気部等を十分に洗浄することは難しい。
【０００６】
本発明は、上記事情に鑑み、回転ドラムを備えたコーティング装置において、回転ドラムを効果的に洗浄することを課題とする。
【課題を解決するための手段】
【０００７】
前記課題を解決するための本発明のコーティング装置は、処理すべき粉粒体が内部に収容され、その軸線回りに回転駆動される通気式の回転ドラムと、該回転ドラムの外部側に配設され、洗浄液を貯留する洗浄槽とを備え、前記回転ドラムは、前記回転ドラムの内部と外部とを連通させる通気部を壁部に有し、前記洗浄槽に貯留された洗浄液中に前記壁部を浸漬して前記通気部を介して内部に洗浄液を入れた状態で、前記回転ドラムを回転させながら洗浄を行うコーティング装置において、前記回転ドラムは、回転時に前記洗浄槽の洗浄液を回転方向前方に流動させる流動部材を前記壁部に有し、該流動部材における回転方向前方側の側面が、外部側に移行するに従って、回転方向前方側に漸次変位することを特徴とする。
【０００８】
この構成であれば、洗浄のための回転時に、流動部材が、洗浄槽の洗浄液を回転方向前方に流動させる。この洗浄液の流動により、通気部を通過する洗浄液の流通速度が高められるため、特に洗浄しにくい通気部も効果的に洗浄することができる。
【０００９】
また、流動部材の回転方向への移動により、流動部材の回転方向前方では洗浄液に陽圧が生じ、回転方向後方では洗浄液に陰圧が生じる。このため、回転ドラムの回転中に、流動部材の回転方向前方では、回転ドラム内へ洗浄液を流れ込む（押し込む）効果が高まる一方、流動部材の回転方向後方では、回転ドラム内から洗浄液を吸引する効果が高まる。このため、通気部における洗浄液の流通速度が上昇する。この洗浄液の流通速度の上昇によって、通気部周辺の洗浄能力が向上する。また、流動部材の回転方向前方側の通気部から洗浄液が回転ドラムの内部に流れ込み、回転方向後方側の通気部から回転ドラムの外部に流れ出でるという、洗浄液の循環流／渦流が発生する。この洗浄液の循環流／渦流により、洗浄能力が向上する。
【００１０】
そして、上記の構成では、流動部材における回転方向前方側の側面が、外部側に移行するに従って、回転方向前方側に漸次変位するものである。これにより、洗浄のための回転時に、流動部材における回転方向前方側の側面が、洗浄液をすくい上げて、通気部を経由して回転ドラム内に洗浄液を流し込む作用が得られる。この作用によって、通気部における洗浄液の流通速度が更に上昇するため、通気部周辺の洗浄能力が更に向上する。
【００１１】
このように、本発明のコーティング装置では、通気部における洗浄能力が向上するので、回転ドラムを効果的に洗浄することができる。
【００１２】
上記の構成において、前記流動部材における回転方向後方側の側面が、外部側に移行するに従って、回転方向後方側に漸次変位してもよい。
【００１３】
この構成であれば、流動部材における回転方向後方側の側面周辺には、流動部材より外部側から洗浄液が接近し難くなり、上述した流動部材の回転方向後方に生じる洗浄液の陰圧が増大され、回転ドラム内から洗浄液を吸引する効果を強化することになる。従って、通気部周辺の洗浄能力が更に向上する。
【００１４】
上記の構成において、前記回転ドラムの軸線が水平線に対して傾斜しており、前記壁部が傾斜下方側の底壁部であってもよい。ここで、水平線に対する回転ドラムの軸線の傾斜角度は、０°を越えて９０°以下である（以下、同じ）。
【００１５】
そして、この構成において、前記回転ドラムの内部を通気するための通気ダクトと、該通気ダクトが取り付けられ、前記回転ドラムの軸線方向に沿ってスライド駆動されて前記底壁部に対して当接及び離隔するディスクプレートとを備え、該ディスクプレートは、前記底壁部に対して当接した状態で前記通気部と前記通気ダクトを所定の位置で連通させる通気口を有し、前記通気ダクトは、該通気口から前記回転ドラムの回転方向前方側に延びていてもよい。
【００１６】
このように通気口や通気ダクトを構成することで、流動部材によって撹拌された洗浄液が、通気ダクトの通気口周辺と、通気部の流動部材周辺とを往復する波を形成する。この波によって流動部材周辺の洗浄を促進すると共に、通気ダクトの通気口周辺の洗浄を促進する効果が享受できる。
【発明の効果】
【００１７】
本発明によれば、回転ドラムを備えたコーティング装置において、回転ドラムを効果的に洗浄することができる。
【図面の簡単な説明】
【００１８】
【図１】実施形態に係るコーティング装置が備える回転ドラムの軸線方向断面図（図２のＢ−Ｂ線矢視断面図）である。
【図２】図１のＡ−Ａ線矢視断面図である。
【図３】実施形態に係るコーティング装置が備える回転ドラムの背面図である。
【図４】図２の部分拡大図で、通気板１枚分の周辺図である。
【図５】図４のＣ線矢視断面図である。
【図６】通気部における模式的な回転方向断面図である。
【図７】通気部の他例であり、模式的な回転方向断面図である。
【図８】回転ドラムと通気ダクトの模式的な図で、（Ａ）が背面図、（Ｂ）が側面図である。
【発明を実施するための形態】
【００１９】
以下、本発明を実施するための形態について図面に基づき説明する。
【００２０】
本発明の実施形態に係るコーティング装置は、図１〜５に示す回転ドラム１と、回転ドラム１の外部側に配設されたハウジングＨ（図１参照）とを主要な構成要素として備える。
【００２１】
回転ドラム１は、通気式で、その軸線Ｏの回りに回転駆動される。回転ドラム１の軸線Ｏは、水平線に対して角度θで傾斜している。傾斜角度θは、０°を越え９０°以下で、例えば、３０〜４５°である。回転ドラム１の内部には、処理すべき粉粒体（図示省略）が収容される。
【００２２】
回転ドラム１は、本実施形態では、軸線方向の一端が開口した壁部２で構成され、この壁部２は、回転方向に延在する周壁部３と、周壁部３における軸線方向の他端に形成された底壁部４とから成る。
【００２３】
周壁部３は、気密な構造を保有し、収容される粉粒体の攪拌混合効果を高めるため、例えば、１０角形の横断面形状を有すると共にその径が最大となる大径部３ａと、開口側端部となる小径部３ｂと、大径部３ａから小径部３ｂに向かって漸次縮径する第１縮径部３ｃと、大径部３ａから底壁部４に向かって漸次縮径する第２縮径部３ｄとで構成される。小径部３ｂの外周面は、ハウジングＨの開口端Ｈａに対して摺動自在に接触している。なお、大径部３ａの形状は、本実施形態では、断面多角形の角筒形であるが、これに限定されず、円筒形でもよい。
【００２４】
底壁部４は、回転ドラム１の傾斜下方側に位置する。そして、底壁部４には、回転ドラム１の軸線Ｏを中心とする単一の円環形状に沿って通気部５が設けられている。また、底壁部４において、軸線Ｏ回りに回転ドラム１を回転させるための回転駆動軸Ｓが、その回転ドラム１外部側の中心部４ａに連結される。回転駆動軸Ｓは、ハウジングＨの支持部Ｈｂによって回転自在に支持されている。
【００２５】
通気部５は、回転ドラム１の内部と外部とを連通する。後に詳述するように、回転ドラム１の洗浄時には、洗浄液が通気部５を介して回転ドラム１の内部と外部とを流通する。通気部５は、複数の貫通孔５ａと、流動部材としてのドラムリブ５ｂと、通気板５ｃとから構成される。複数の貫通孔５ａは回転方向に沿って配列される。ドラムリブ５ｂは、回転方向に沿って隣接すると共に貫通孔５ａを仕切るものである。本実施形態では、ドラムリブ５ｂは、柱状で、軸線Ｏを中心として、放射状に設けられている。図４に示すように、通気板５ｃは、貫通孔５ａとドラムリブ５ｂを覆うように配設される。通気板５ｃは、貫通孔からなる複数の通気孔５ｄを有し、例えばパンチングメタル等で成る多孔板で構成される。図４において、二点鎖線で囲まれた領域に通気孔５ｄは形成されている。
【００２６】
粉粒体の処理時には、通気部５（通気板５ｃ）を介して回転ドラム１の内部と外部との間で処理気体が流通する。本実施形態では、例えば、回転ドラム１内のコーティング処理を施した粉粒体を、回転ドラム１を回転させて乾燥させる際に、この通気板５ｃを介して処理気体が流通する。すなわち、処理気体としての空気が、回転ドラム１の内部に開口部を介して給気され、この給気された回転ドラム１内部の空気が通気板５ｃを介して回転ドラム１の外部に排出される。
【００２７】
本実施形態では、貫通孔５ａは１６個、ドラムリブ５ｂが１６本である。全ての貫通孔５ａに対して、４枚の通気板５ｃが、ドラムリブ５ｂにおける回転ドラム１の内部側に配設され、１枚の通気板５ｃで、４個の貫通孔５ａを覆う。１枚の通気板５ｃにおける回転ドラム１外部側の面５ｈについて、回転ドラム１回転方向の両端部が、それぞれ、ドラムリブ５ｂにおける回転ドラム１内部側の端面５ｆに対向する（図５参照）。
【００２８】
図５に示すように、ドラムリブ５ｂは、回転ドラム１の回転方向に相対向する２つの側面５ｅ間の距離が、回転ドラム１外部側に向かって漸次増加する横断面形状（すそ広がり形状）を有する。本実施形態では、これらの側面５ｅは平面状で、軸線Ｏを含み回転ドラム１の径方向に沿った平面Ｐについて、相互に面対称となっている。また、ドラムリブ５ｂにおける軸線方向の両端面５ｆ，５ｇは、相互に平行の平面となっており、ドラムリブ５ｂの横断面は台形状である。本実施形態では、ドラムリブ５ｂは中実としているが、中空としてもよい。なお、図示は省略するが、通気板５ｃおける回転ドラム１回転方向の中間部に対向するドラムリブ５ｂについても同様である。また、側面５ｅは、貫通孔５ａの側面にもなっている。
【００２９】
本実施形態では、ドラムリブ５ｂにおける回転ドラム１内部側の端面５ｆと、通気板５ｃにおける回転ドラム１外部側の面５ｈとは、点溶接Ｗで接合されている。また、相互に隣接する通気板５ｃにおける回転ドラム１回転方向の端面５ｉは、回転ドラム１内部側が線溶接（図示省略）で接合されている。しかし、ドラムリブ５ｂと通気板５ｃに対する固定方法、あるいは通気板５ｃ同士の固定方法は、これに限定されず、固定できればよく、ボルトによる締結でもよいし、また、軽圧入等でもよい。なお、図５において、通気板５ｃにおける点線は、図４の二点鎖線に対応するものである。従って、通気板５ｃにおける点線で挟まれた領域Ｒには、通気孔５ｄは形成されていない（図５では通気孔５ｄは図示省略）。すなわち、通気板５ｃの面５ｈで、ドラムリブ５ｂの端面５ｆに対向する部位には、通気孔５ｄは形成されていない。
【００３０】
図１に示すように、ハウジングＨは、回転ドラム１における小径部３ｂの軸線方向中間部から底壁４までの全体と回転駆動軸Ｓの一部を覆うように配設される。そして、ハウジングＨは、回転ドラム１の洗浄時には、例えば二点鎖線Ｌで示す量の洗浄液を貯留可能な洗浄槽として機能する。ハウジングＨは、洗浄液の供給口Ｈｃと洗浄液の排出口Ｈｄを有する。
【００３１】
回転ドラム１の洗浄は、ハウジングＨに貯留された洗浄液中に回転ドラム１の底壁部４を浸漬して通気部５を介して回転ドラム１の内部に洗浄液を入れた状態で、回転ドラム１を回転させることによって実施する。
【００３２】
回転ドラム１の洗浄を詳述すると、まず、回転ドラム１の底壁部４全体をハウジングＨ内に露出させた状態で、供給口Ｈｃから洗浄液をハウジングＨ内に供給する。すると、ハウジング内に洗浄水が溜まっていき、これに伴って、洗浄液が、底壁部４の通気部５の通気板５ｃを介して回転ドラム１内に流入する。そして、回転ドラム１内に流入した洗浄液の液面が、図１に二点鎖線Ｌで示すように、小径部３ｂと第１縮径部３ｃとの境界付近となったら、供給口Ｈｃからの洗浄液の供給を停止する。この状態で、回転駆動軸Ｓを回転させることによって回転ドラム１を回転させる。これにより、回転ドラム１の内部と外部が洗浄される。所定の時間あるいは所定回数回転ドラム１を回転させた後、回転ドラム１の回転を停止させ、排出口Ｈｄから洗浄液を排出する。
【００３３】
本実施形態に係るコーティング装置における他の部分の構成は、上述した特許文献１に記載されたコーティング装置に準じるため、説明を省略する。
【００３４】
上記のように構成されたコーティング装置の回転ドラム１の効果を、図６を使用して以下に説明する。
【００３５】
図６は、通気部５における回転ドラム１回転方向に沿った断面を模式的に示した図である。なお、図６では通気孔５ｄの図示を省略している。上述したように、回転ドラム１を洗浄する際には、洗浄液中に回転ドラム１の底壁部４を浸漬して通気部５を介して内部に洗浄液を入れた状態で、回転ドラム１を回転させる。図６は、洗浄液内での状態を示し、そして、図６の白矢印の方向に、回転ドラム１が回転する。
【００３６】
この実施形態では、回転ドラム１の回転時、回転ドラム１の底壁部４のドラムリブ５ｂにより、ドラムリブ５ｂ周辺の洗浄液が回転方向前方に流動せしめられる。従って、ドラムリブ５ｂにより、通気板５ｃを通過する洗浄液の流通速度が高められるため、特に洗浄しにくい底壁部４の通気板５ｃも効果的に洗浄することができる。
【００３７】
また、ドラムリブ５ｂの回転方向への移動により、ドラムリブ５ｂの回転方向前方では洗浄液に陽圧が生じ、回転方向後方では洗浄液に陰圧が生じる。このため、回転ドラム１の回転中に、ドラムリブ５ｂの回転方向前方では、回転ドラム内へ洗浄液を流れ込む（押し込む）効果が高まる一方、ドラムリブ５ｂの回転方向後方では、回転ドラム１内から洗浄液を吸引する効果が高まる。このため、通気板５ｃ（通気孔５ｄ）における洗浄液の流通速度が上昇する。この洗浄液の流通速度の上昇によって、通気板５ｃ周辺の洗浄能力が向上する。また、ドラムリブ５ｂの回転方向前方側の通気板５ｃ（通気孔５ｄ）から洗浄液が回転ドラム１の内部に流れ込み、回転方向後方側の通気板５ｃ（通気孔５ｄ）から回転ドラム１の外部に流れ出でるという、洗浄液の循環流／渦流（図６の黒矢印参照）が発生する。この洗浄液の循環流／渦流により、洗浄能力が向上する。
【００３８】
そして、本実施形態では、ドラムリブ５ｂにおける回転方向前方側の側面５ｅが、外部側に移行するに従って、回転方向前方側に漸次変位する形状である。これにより、洗浄のための回転ドラム１の回転時に、ドラムリブ５ｂにおける回転方向前方側の側面５ｅが、洗浄液をすくい上げて、通気板５ｃ（通気孔５ｄ）を経由して回転ドラム１内に洗浄液を流し込む作用が得られる。この作用によって、通気板５ｃ（通気孔５ｄ）における洗浄液の流通速度が更に上昇するため、通気板５ｃ周辺の洗浄能力が更に向上する。
【００３９】
また、本実施形態では、ドラムリブ５ｂにおける回転方向後方側の側面５ｅが、外部側に移行するに従って、回転方向後方側に漸次変位する形状である。このため、ドラムリブ５ｂにおける回転方向後方側の側面周辺には、ドラムリブ５ｂより外部側から洗浄液が接近し難くなり、上述したドラムリブ５ｂの回転方向後方に生じる洗浄液の陰圧が増大され、回転ドラム１内から洗浄液を吸引する効果を強化することになる。従って、通気板５ｃ周辺の洗浄能力が更に向上する。
【００４０】
このように、本実施形態のコーティング装置では、通気板５ｃ（通気孔５ｄ）における洗浄能力が向上するので、回転ドラム１を効果的に洗浄することができる。
【００４１】
本発明は、以上の説明に限定されることなく、その技術的思想の範囲内であれば、様々な変形が可能である。例えば、図７に示すように、回転方向後方側の側面５ｅが、回転方向前方側の側面５ｅと同様に傾斜し、これらの側面５ｅが相互に平行で、ドラムリブ５ｂが平板状であってもよい。この場合には、回転方向後方側の側面５ｅ周辺には、ドラムリブ５ｂより外部側から洗浄液が接近し易くなり、上述した回転ドラム１内から洗浄液を吸引する効果があまり強化されない。一方、回転方向前方側の側面５ｅによる回転ドラム１内に洗浄液を流し込む作用は、上記実施形態と同様に得られる。
【００４２】
また、図８（Ａ）に示すように、本発明のコーティング装置は、回転ドラム１の内部を通気するための通気ダクト６と、通気ダクト６が取り付けられたディスクプレート７とを備えてもよい。図８（Ｂ）に示すように、ディスクプレート７は、回転ドラム１の背面側に、底壁部４と対向するように配設される。そして、ディスクプレート７における回転ドラム１とは反対側の面に通気ダクト６が取り付けられている。図８（Ｂ）の両矢印で示すように、ディスクプレート７は、回転ドラム１の軸線方向に沿ってスライド駆動されて底壁部４に対して当接及び離隔する。
【００４３】
ディスクプレート７は、底壁部４に当接した状態で回転ドラム１の底壁部４の通気部５と通気ダクト６を所定の位置で連通させるための通気口７ａを有する。図８（Ａ）に示すように、通気ダクト６は、通気口７ａから回転ドラム１の白矢印で示す回転方向における前方側に延びている。
【００４４】
詳述すれば、通気口７ａは、本実施形態では、ディスクプレート７の斜め下方に形成され、ディスクプレート７の外径側において、周方向に延在する。通気口７ａは、ディスクプレート７と略同心円の円弧の径方向で対向する２つの側縁と、周方向で対向する直線状の２つの側縁とを有する。通気ダクト６は、通気口７ａにオーバーラップする部位では、通気口７ａに略沿って延在している。そして、通気ダクト６は、通気口７ａにオーバーラップしない部位、すなわち、通気口７ａにおける回転方向前方側の直線状側縁より回転方向前方側の部位では、この直線状側縁の近傍の周方向位置におけるディスクプレート７の接線の方向に沿って延在しており、本実施形態では上方に直線状に延在している。
【００４５】
例えば、粉粒体を、回転ドラム１を回転させて乾燥させる際には、ディスクプレート７を底壁部４に当接する。そして、この乾燥の際に通気板５ｃを介して排出された空気は、ディスクプレート７の通気口７ａを介して通気ダクト６に排出される。そして、回転ドラム１を回転させて洗浄する際には、ディスクプレート７を回転ドラム１の底壁部４から離隔させ、底壁部４全体をハウジングＨ内に露出させる。
【００４６】
以上のように構成された通気ダクト６とディスクプレート７を備えていれば、洗浄時に図８（Ａ）に白矢印で示すように回転ドラム１が回転すると、次のような洗浄液の流れが生じる。すなわち、図８（Ａ），（Ｂ）に黒矢印で示すように、ドラムリブ５ｂによって回転ドラム１の回転方向前方に流動させられた洗浄液が、通気口７ａから通気ダクト６の内部に流入する。また、図示は省略するが、この洗浄液の流入に伴い、既に通気ダクト６内に流入していた洗浄液が通気口７ａから流出する。このようにして、ドラムリブ５ｂによって撹拌された洗浄液が、通気ダクト６の通気口７ａ周辺と、通気部５のドラムリブ５ｂ周辺とを往復する波を形成する。この波によってドラムリブ５ｂ周辺の洗浄を促進すると共に、通気ダクト６の通気口７ａ周辺の洗浄を促進する効果が享受できる。
【００４７】
上記実施形態では、ドラムリブ５ｂの側面５ｅは平面であったが、側面５ｅは曲面であってもよい。更に、上記形態では、流動部材として、ドラムリブ５ｂを使用したが、ドラムリブ５ｂとは別部材の流動部材を通気部５に設けてもよい。
【００４８】
また、上記実施形態では、回転ドラム１の軸線Ｏが水平線に対して傾斜しており、回転ドラム１は、底壁部４に流動部材を有していたが、本発明は、これに限定されるものではない。例えば、回転ドラムの軸線が水平線と平行又は略平行で、その周壁部に通気部としての多孔板を有したものに本発明を適用してもよい。この場合には、回転ドラムは、流動部材を周壁部に有する。例えば、回転ドラムは、周壁部における例えば図１に示す大径部３ａに相当する部位に、多孔板を有すると共に、その外周側に軸線方向に沿って延在する流動部材を有したものでもよい。また、この場合には、流動部材が、周壁部に固定される基部と、この基部に、周壁部の内外周方向への移動が許容された状態で装着された部材とで構成されてもよく、これにより、流動部材は内外周方向への伸縮が可能になる。また、この場合、回転ドラムの形状は、上記実施形態の形状に限定されず、例えば円錐形、多角円錐形であってもよい。
【符号の説明】
【００４９】
１      回転ドラム
２      壁部
３      周壁部
４      底壁部
５      通気部
５ａ    貫通孔
５ｂ    ドラムリブ（流動部材）
５ｃ    通気板
５ｄ    通気孔
５ｅ    側面
６      通気ダクト
７      ディスクプレート
７ａ    通気口
Ｈ      ハウジング（洗浄槽）
Ｏ      軸線
Ｓ      回転駆動軸
【図１】
2014000494.tif 000003
【図２】
2014000494.tif 000004
【図３】
2014000494.tif 000005
【図４】
2014000494.tif 000006
【図５】
2014000494.tif 000007
【図６】
2014000494.tif 000008
【図７】
2014000494.tif 000009
【図８】
2014000494.tif 000010